(57)【要約】【課題】流し台の基本構造に大幅な変更を生じさせることなく、そのキャビネットを構成する幕板の内面側に適切に包丁を収納できるようにする。【解決手段】シンク２の前側面とその両側に位置されるキャビネット１を構成する側板１１の端部１１ａとを前方から覆う幕板１０を、この側板１１に対して、その下端側において傾動可能に組み付けると共に、幕板１０の内面１０ａ側に、この内面に包丁Ｎの刃Ｎａ巾面を向き合わせ、かつ、包丁Ｎの切っ先を斜め下に柄尻Ｎｄを斜め上にするようにして包丁Ｎの刃Ｎａを支持する包丁ホルダー３を備えている。前記側板１１に、幕板１０における傾動の中心となる軸１０ｃより下方の部分１０ｄをその傾動位置で入り込ませると共に、内側にこの部分に突き当たる規制面１１ｃを備えた凹部１１ｂを形成させている。【選択図】図２
2008200335.tif 000002
【特許請求の範囲】
【請求項１】
シンクの前側面とその両側に位置される流し台のキャビネットを構成する側板の端部とを前方から覆う幕板を、この側板に対して、その下端側において傾動可能に組み付けると共に、
この幕板の内面側に、この内面に包丁の刃巾面を向き合わせ、かつ、包丁の切っ先を斜め下に柄尻を斜め上にするようにして包丁の刃を支持する包丁ホルダーを備えており、
しかも、前記側板に、幕板における傾動の中心となる軸より下方の部分をその傾動位置で入り込ませると共に、内側にこの部分に突き当たる規制面を備えた凹部を形成させ、
または、幕板における傾動の中心となる軸より下方の部分に、傾動位置で側板の端部に突き当たる規制面を、この部分にカッティングを施すことにより形成させてなることを特徴とする流し台。
【請求項２】
ステーター体とローター体とから構成されローター体の回転に制動を付与するように構成されたダンパー装置を構成するこのステーター体及びローター体のいずれか一方側を幕板側に取り付け、
かつ、これらの他方を取付具を介して側板側に取り付けることで、幕板を傾動可能に組み付けさせていることを特徴とする請求項１記載の流し台。
【発明の詳細な説明】
【技術分野】
【０００１】
この発明は、流し台のキャビネットを構成する幕板の内面側に包丁を収納できるように構成された流し台の改良に関する。
【背景技術】
【０００２】
流し台のシンクの前側面は、側板間に亘るようにして固定された幕板によって覆われている。この幕板の外側に上扉を設けこの上扉と幕板との間に包丁の収納ボックスを設けたものがある。（特許文献１参照）
【０００３】
しかるに、流し台のシンクの前側面と幕板との間には、シンクの開口と天板の前端との間に間隔が形成されることから、必ず一定の隙間が形成される。この隙間に前記のような収納ボックスが納まり、幕板自体を前記のような上扉として機能させるようにできれば、既存の流し台の設計を大幅に変更することなく、こうした収納機能を流し台に付加させることができる。
【特許文献１】実用新案登録第３０７０７４７号公報
【発明の開示】
【発明が解決しようとする課題】
【０００４】
この発明が解決しようとする主たる問題点は、流し台の基本構造に大幅な変更を生じさせることなく、そのキャビネットを構成する幕板の内面側に適切に包丁を収納できるようにする点にある。
【課題を解決するための手段】
【０００５】
前記課題を達成するために、この発明にあっては、流し台を、以下の（１）〜（４）の構成を備えたものとした。
（１）シンクの前側面とその両側に位置される流し台のキャビネットを構成する側板の端部とを前方から覆う幕板を、この側板に対して、その下端側において傾動可能に組み付けると共に、
（２）この幕板の内面側に、この内面に包丁の刃巾面を向き合わせ、かつ、包丁の切っ先を斜め下に柄尻を斜め上にするようにして包丁の刃を支持する包丁ホルダーを備えており、
（３）しかも、前記側板に、幕板における傾動の中心となる軸より下方の部分をその傾動位置で入り込ませると共に、内側にこの部分に突き当たる規制面を備えた凹部を形成させ、
（４）または、幕板における傾動の中心となる軸より下方の部分に、傾動位置で側板の端部に突き当たる規制面を、この部分にカッティングを施すことにより形成させてなる。
【０００６】
かかる構成によれば、幕板の内面側にこの幕板とシンクの前側面との間の隙間に納まる態様で包丁ホルダーを設け、また、このように設けた包丁ホルダーを幕板と側板とに若干の加工などを施すだけで幕板の傾動によって都合良く利用できるようにすることができる。
【０００７】
前記ステーター体とローター体とから構成されローター体の回転に制動を付与するように構成されたダンパー装置を構成するこのステーター体及びローター体のいずれか一方側を幕板側に取り付け、
かつ、これらの他方を取付具を介して側板側に取り付けることで、幕板を傾動可能に組み付けさるようにしておくこともある。
【０００８】
このようにした場合、ダンパー装置を介して、幕板の傾動が突飛なものにならない態様で、幕板を傾動可能に側板に組み合わせることができ、最小の部品点数をもって幕板と化粧板との間の隙間を使い勝手の良い包丁の収納として構成させることができる。
【発明の効果】
【０００９】
この発明によれば、流し台の基本構造に大幅な変更を生じさせることなく、より具体的には、既存の流し台の幕板をそのまま利用してこれに包丁ホルダーを付加して、流し台のキャビネットを構成する幕板の内面側に適切に包丁を収納可能な流し台を構成できる。幕板とその下の扉板などとのデザイン上の一体感も損なうことがない。
【発明を実施するための最良の形態】
【００１０】
以下、図１〜図９に基づいて、この発明を実施するための最良の形態について説明する。
【００１１】
なお、ここで図１〜図６は幕板１０と側板１１との干渉を側板１１側の加工により回避させた例を、図７〜図８は幕板１０と側板１１との干渉を幕板１０側の加工により回避させた例を、それぞれ示している。
【００１２】
具体的には、図１および図２は流し台Ｋの要部を断面にして示しており図２は幕板１０を開かせた状態を示している。また、図３はこの流し台Ｋを構成する幕板１０と包丁ホルダー３とを分離させた状態として、図４はキャビネット１を構成する側板１１の一部と化粧板１４とを表した状態として、図５は幕板１０の軸１０ｃとなるローター体４１を備えたダンパー装置４の様子を、図６は側板１１側に取り付けられてローター体４１に連係され幕板１０を軸支する取付具５を、それぞれ示している。
【００１３】
また、図７および図８は幕板１０とキャビネット１の要部を、図９は図７および図８のように幕板１０を構成させた場合の幕板１０の規制面１０ｅの機能を理解しやすいように示したものである。
【００１４】
この実施の形態にかかる流し台Ｋは、流し台Ｋの基本構造に大幅な変更を生じさせることなく、そのキャビネット１を構成する幕板１０の内面１０ａ側に適切に包丁Ｎを収納できるようにしたものである。
【００１５】
流し台Ｋを構成するキャビネット１は、左右に側板１１、１１を有し、上部に天板１２を備える。図中符号２はシンクであり、符号１３は見付である。シンク２の前側面は化粧板１４によって覆われる。幕板１０は、この化粧板１４の前方にあって、この化粧板１４との間にやや隙間１５を開けて、この化粧板１４とこの化粧板１４の両側に位置される側板１１の端部１１ａを前方から覆うように備えられるものである。シンク２の下方には収納空間１６される。流し台Ｋの前面側であって幕板１０の下方にはこの収納空間１６の開口を塞ぐ扉板１７が位置される。この収納空間に引き出しを納める場合にはこの引き出しの前板が幕板１０の下方に位置される。幕板１０の外面とかかる扉板１７の外面１７ａとは略同面上に位置される。
【００１６】
この実施の形態にあっては、先ず、幕板１０を、化粧板１４の両側に位置される側板１１に対して、その下端側において傾動可能に組み付けさせている。
【００１７】
それと共に、この幕板１０の内面１０ａ側に、この内面に包丁Ｎの刃巾面Ｎｂを向き合わせ、かつ、包丁Ｎの切っ先Ｎｃを斜め下に柄尻Ｎｄを斜め上にするようにして包丁Ｎの刃Ｎａを支持する包丁ホルダー３を備えさえている。
【００１８】
図示の例では、かかる包丁ホルダー３は、幕板１０の左右方向（長さ方向）に長く構成されると共に、内部を包丁Ｎの刃Ｎａの挿入空間３０とするように構成されている。包丁ホルダー３の上部にはその長さ方向に亘ってこの挿入空間３０に連通するスリット３１が形成されており、包丁Ｎの刃Ｎａをこのスリット３１を利用して挿入空間３０内に入れ込めるようになっている。包丁ホルダー３の上部にはまた包丁Ｎの柄Ｎｆの刃Ｎａ側の端面Ｎｅに引っかかる隆起部３２ａとこの隆起部３２ａに隣り合ってこの隆起部３２ａに端面Ｎｅを引っ掛ける位置までスリット３１を通じて挿入空間３０に刃Ｎａを入れ込ませた包丁Ｎの柄Ｎｆを載置する台状部３２ｃとを一組とする支持箇所３２が包丁ホルダー３の長さ方向に亘って四箇所に形成されている。隆起部３２ａは包丁Ｎの引っ掛け面３２ｂを斜め上方に向けており、台状部３２ｃの台面３２ｄはこの引っ掛け面３２ｂに略直交する向きの面となっている。図示の例では、上方に開放箇所を向けるように幕板１０に腕部の一方を固定させたＵ字状金具１８の他方の腕部と幕板１０の内面１０ａとの間に、このように構成された包丁ホルダー３をその下部側からはめ込むことで幕板１０の内面１０ａ側にこの幕板１０と前記化粧板１４との間に形成された前記隙間１５に納まるように包丁ホルダー３を備え付けさせている。（図３、図１）
【００１９】
幕板１０の傾動の中心となる軸１０ｃは、幕板１０の下端側であって、かつ、幕板１０がもっとも傾動したときにこの軸１０ｃより下方の部分１０ｄが前記隙間１５内に納まる位置に備えられる。しかるに、幕板１０は前記側板１１の端部１１ａを前方から覆うように構成されるものであることから、図１〜図６に示される例にあっては、前記側板１１に、幕板１０における傾動の中心となる軸１０ｃより下方の部分１０ｄをその傾動位置で入り込ませると共に、内側にこの部分に突き当たる規制面１１ｃを備えた凹部１１ｂを形成させている。具体的には、この例にあっては、キャビネット１の内側に向けられた側と前方とにおいてそれぞれ開放された凹部１１ｂを側板１１に設けさせて、傾動時に側板１１の端部１１ａの前方を覆う幕板１０の下端側がこの凹部１１ｂに入り込むようにしている。この例では、側板１１に形成させた切り欠き１１ｄに、内側から凹部形成体１１ｅを入れ込み取り付けることでこの側板１１に前記凹部１１ｂを形成させている。凹部形成体１１ｅは、取り付けられて側板１１の外面と同面となる底板部１１ｆと、上側壁部１１ｇと、この上側壁部１１ｇに対して直角の内隅１１ｉを形成させる下側壁部１１ｈとからなる凹部１１ｂを備えており、かかる内隅１１ｉを前方に向けるようにして側板１１に備え付けられる。幕板１０はその軸１０ｃより下方の部分１０ｄをかかる上側壁部１１ｇに下方から突き当てる位置まで傾動されるようになっている。
【００２０】
図７〜図９は、キャビネット１側に加工を施さずに、幕板１０における傾動の中心となる軸１０ｃより下方の部分１０ｄに、傾動位置で側板１１の端部１１ａに突き当たる規制面１０ｅを、この部分にカッティングを施すことにより形成させた例を示している。かかる規制面１０ｅは、かかる軸１０ｃより下方の部分１０ｄであって幕板１０の内面１０ａ側に形成され、軸１０ｃ側から下方に向かうに連れて次第に幕板１０の肉厚を小さくする向きに傾斜した傾斜面となっている。この規制面１０ｅは、図７に示されるように幕板１０の長さ方向に亘ってカッティングを施すことで形成させることができる。また、図８に示されるように幕板１０における側板１１の端部１１ａの前方に位置される箇所にのみカッティングを施すことで形成させることもできる。
【００２１】
また、この実施の形態にあっては、ステーター体４０とローター体４１とから構成されローター体４１の回転に制動を付与するように構成されたダンパー装置４を構成するこのステーター体４０及びローター体４１のいずれか一方側を幕板１０側に取り付け、
かつ、これらの他方を取付具５を介して側板１１側に取り付けることで、幕板１０を前記のように傾動可能に組み付けさせている。
【００２２】
図示の例では、かかるダンパー装置４を構成するステーター体４０を幕板１０側に取り付けるようにしている。図示の例では、ダンパー装置４は、ステーター体４０の保持部４２ａとこの保持部４２ａに隣り合うローター体４１の端部４１ａの突き出し空間４２ｂとを備えた取り付け用ケース４２を介して幕板１０に備えられるようになっている。ステーター体４０はローター体４１を回転可能に支持すると共にシリコンオイルなどの粘性流体を封入備えておりこの粘性流体の抵抗をローター体４１の回転に作用させるように構成されている。ステーター体４０は保持部４２ａに保持固定されている。ローター体４１の端部４１ａには接続用アーム４３の一端が止着されている。そして、この例では、ローター体４１の回転軸１０ｃを幕板１０の長さ方向に沿わせるようにして、幕板１０の内面１０ａ側に形成させた彫り込み１０ｆに接続用アーム４３が後方に突き出すようにして取り付け用ケース４２を納め入れ固定させることでステーター体４０を幕板１０側に備え付けさせている。
【００２３】
図示の例では、前記取付具５は、上下方向に長い取り付け板部５０と、この取り付け板部５０の下端から水平方向に突き出す耳部５１と、この耳部５１に上方からネジ付けられた接続用ネジ５２とを備えている。そして、図示の例では、かかる取り付け板部５０をもって側板１１の内面に取り付けられた取付具５の耳部５１に備えられた接続用ネジ５２を前記のように幕板１０に備えられたダンパー装置４の接続用アーム４３の他端に形成された割溝４３ａに入れ込み締め込むことでダンパー装置４のローター体４１を側板１１側に取り付けさせている。
【００２４】
この実施の形態にあっては、幕板１０の内面１０ａ側にこの幕板１０と化粧板１４との間の隙間１５に納まる態様で包丁ホルダー３を設け、また、このように設けた包丁ホルダー３を幕板１０と側板１１とに若干の加工などを施すだけで幕板１０の傾動によって都合良く利用可能としている。
【００２５】
また、ダンパー装置４を介して、幕板１０の傾動が突飛なものにならない態様で、幕板１０を傾動可能に側板１１に組み合わせており、最小の部品点数をもって幕板１０と化粧板１４との間の隙間１５を使い勝手の良い包丁Ｎの収納として構成させている。
【００２６】
なお、図示の例では、前記取付具５の取り付け板部５０の上部に設けたマグネットキャッチャー５３に幕板１０の内面１０ａに設けた吸着プレート１０ｇが幕板１０の傾動前位置で吸着捕捉されるようになっており、この捕捉を解く大きさの力で幕板１０の上部側を手前に引っ張ることで前記ダンパー装置４の制動を蒙りながら幕板１０は自重により傾動され、これにより包丁ホルダー３に支持された包丁Ｎの取り出しあるいは納め戻しができるようになっている。幕板１０の上端部には、必要に応じて指掛け部などを備えさせて幕板１０の傾動操作を行い易くしておくことが好ましい。
【図面の簡単な説明】
【００２７】
【図１】流し台Ｋの縦断面要部構成図
【図２】流し台Ｋの縦断面要部構成図
【図３】幕板１０と包丁ホルダー３の分離斜視構成図
【図４】キャビネット１の要部斜視構成図
【図５】ダンパー装置４の斜視構成図
【図６】取付具５の斜視構成図
【図７】幕板１０の他の加工例を示した斜視構成図
【図８】幕板１０のさらに他の加工例を示した斜視構成図
【図９】図７および図８の例の要部側面構成図
【符号の説明】
【００２８】
Ｋ  流し台
Ｎ  包丁
Ｎａ  刃
Ｎｂ  刃巾面
Ｎｃ  切っ先
Ｎｄ  柄尻
１  キャビネット
１０  幕板
１０ａ  内面
１０ｃ  軸
１０ｄ  下方の部分
１１  側板
１１ａ  端部
１１ｂ  凹部
１１ｃ  規制面
２  シンク
【図１】
2008200335.tif 000003
【図２】
2008200335.tif 000004
【図３】
2008200335.tif 000005
【図４】
2008200335.tif 000006
【図５】
2008200335.tif 000007
【図６】
2008200335.tif 000008
【図７】
2008200335.tif 000009
【図８】
2008200335.tif 000010
【図９】
2008200335.tif 000011